(57)【特許請求の範囲】
【請求項１】
スタッフ（１１）を有する慣性を調整可能な計時器用バランス車（１０）であって、
前記スタッフ（１１）は、一方では、少なくとも１つのアーム（１３）を介してリム（１２）を担持しており、他方では、前記スタッフ（１１）に固定されている内側フランジ（１）を担持しており、また、前記スタッフ（１１）は、複数の第１の弾性ガイド接続（３）を介して外側リング（２）を担持しており、
前記複数の第１の弾性ガイド接続（３）は、前記スタッフ（１１）の軸（Ｂ）に垂直な平面において慣性バランスされており、
前記外側リング（２）は、前記リム（１２）から離れており、
前記バランス車（１０）は、複数の慣性ブロック（４）を有し、
前記外側リング（２）は、前記第１の弾性ガイド接続（３）によって与えられる抵抗性トルクに対して与えられる外的トルクの作用の下で前記内側フランジ（１）に対して回転するように構成しており、
各慣性ブロック（４）は、少なくとも第２の弾性接続（５）を介して少なくとも前記内側フランジ（１）に担持されており、前記内側フランジ（１）又は前記慣性ブロック（４）によって担持される第１のインデクシング歯列（９１）と、前記慣性ブロック（４）又は前記外側リング（２）によって担持される第２のインデクシング歯列（９２）との間の対応する連係によって定められる安定的な角位置においてインデクシングされることができ、
前記内側フランジ（１）に対する前記外側リング（２）のいずれの回転も、前記慣性ブロック（４）の角位置を変える
ことを特徴とするバランス車（１０）。
【請求項２】
前記第１のインデクシング歯列（９１）は、前記内側フランジ（１）によって担持され、内側ジャンパーばね（４２）によって構成しており、
前記第２のインデクシング歯列（９２）は、前記慣性ブロック（４）によって担持され第１の歯付き区画（４３）である
ことを特徴とする請求項１に記載のバランス車（１０）。
【請求項３】
前記第１のインデクシング歯列（９１）は、前記慣性ブロック（４）によって担持され少なくとも１つの歯（４６）を有し、
前記第２のインデクシング歯列（９２）は、前記外側リング（２）によって担持され中心が前記スタッフ（１１）の前記軸（Ｂ）から離れている第２の歯付き区画（７２）を有する
ことを特徴とする請求項１に記載のバランス車（１０）。
【請求項４】
前記第１のインデクシング歯列（９１）は、前記内側フランジ（１）によって担持され中心が前記スタッフ（１１）の前記軸（Ｂ）から離れている第３の歯付き区画（４４）を有し、
前記第２のインデクシング歯列（９２）は、前記外側リング（２）によって担持され、外側ジャンパーばね（２）によって構成している
ことを特徴とする請求項１に記載のバランス車（１０）。
【請求項５】
前記慣性ブロック（４）はそれぞれ、少なくとも第３の弾性接続（５０）によって前記外側リングによって担持されている
ことを特徴とする請求項１に記載のバランス車（１０）。
【請求項６】
前記内側フランジ（１）は、前記外的トルクの最大値よりも大きな摩擦トルクによって前記スタッフ（１１）を同心的にクランプする複数の弾性細長材（１９）を有する
ことを特徴とする請求項１に記載のバランス車（１０）。
【請求項７】
前記内側フランジ（１）は、前記スタッフ（１１）に不可逆的に取り付けられている
ことを特徴とする請求項１に記載のバランス車（１０）。
【請求項８】
当該バランス車（１０）は、前記スタッフ（１１）に直接又は間接的に固定されており周部止め手段（１５）を有する下側プレート（１４）を有する
ことを特徴とする請求項１に記載のバランス車（１０）。
【請求項９】
前記外側リング（２）は、前記スタッフ（１１）の前記軸（Ｂ）を中心とする連続的な周部歯列（８）を有し、
前記歯列（８）の回転によって、２つの安定的なインデクシング位置の間で前記慣性ブロック（４）の位置が変わる
ことを特徴とする請求項１に記載のバランス車（１０）。
【請求項１０】
前記バランス車（１０）は、前記内側フランジ（１）、前記第１の弾性ガイド接続（３）、前記外側リング（２）、前記慣性ブロック（４）、前記第２の弾性接続（５）、前記第１のインデクシング歯列（９１）及び前記第２のインデクシング歯列（９２）を有する一体化された上側プレート（３０）を有する
ことを特徴とする請求項１に記載のバランス車（１０）。
【請求項１１】
前記慣性ブロック（４）はそれぞれ、少なくとも第３の弾性接続（５０）によって前記外側リングによって担持されており、
前記一体化された上側プレート（３０）は、さらに、前記第３の弾性接続（５０）を有する
ことを特徴とする請求項１０に記載のバランス車（１０）。
【請求項１２】
前記一体化された上側プレート（３０）は、可撓性惑星構造を有し、この構造の惑星は、慣性調整を可能にするアンバランス慣性ブロック（４）であり、これらの慣性ブロック（４）は、弾性細長材によって前記内側フランジ（１）及び／又は前記外側リング（２）に接続されている
ことを特徴とする請求項１０に記載のバランス車（１０）。
【請求項１３】
請求項１に記載のバランス車（１０）を有する計時器用発振機構（１００）を少なくとも１つ有する計時器用機械式ムーブメント（３００）であって、
当該機械式ムーブメント（３００）は、前記バランス車（１０）に設けられた前記慣性ブロック（４）のうちの少なくともいくらかの位置を変えることによって前記バランス車（１０）の慣性調整を制御するように構成している操作メンバー（２０）を有し、
前記操作メンバー（２０）は、連結位置と少なくとも１つの分離位置の間で運動可能であり、
前記操作メンバー（２０）は、前記リム（１２）を前記連結位置にて直接又は間接的に動けなくするように構成している止め手段（１６０）と、及び前記連結位置において、前記外側リング（２）を回転駆動して、前記外側リング（２）と連係する前記慣性ブロック（４）の位置を変える少なくとも１つの制御手段（８０）とを有する
ことを特徴とする機械式ムーブメント（３００）。
【請求項１４】
前記外側リング（２）の回転は、前記止め手段（１６０）に設けられた双安定レバー（１５０）によって担持される前記バランス車（１０）に隣接している駆動車（８１）を有する前記制御手段（８０）によって行われ、
前記レバー（１５０）は、当該計時器用ムーブメント（３００）の周部にある回転式リング（１０２）の機械的な作用によって側方から又は側方に連結又は分離される
ことを特徴とする請求項１３に記載の機械式ムーブメント（３００）。
【請求項１５】
請求項１４に記載の機械式ムーブメント（３００）と、及びスライド式ピニオン（１１１）を介して運動ワーク（１１２）の運動を制御するように構成している押し部品又は竜頭（１１０）によって構成している制御メンバーとを有する腕時計（１０００）であって、
前記運動ワーク（１１２）は、前記操作メンバー（２０）が前記連結位置にあるときに前記制御手段（８０）を少なくとも駆動するように構成している入力車（１１５）を有し、
当該腕時計（１０００）は、前記操作メンバー（２０）の連結又は分離を制御するために回転可能に動くことができる連結リング（１０２）を有する
ことを特徴とする腕時計（１０００）。
【請求項１６】
請求項１５に記載の腕時計（１０００）と、及び前記バランス車（１０）の慣性調整を可能にするように構成している調整工具（２００）とを有する計時器アセンブリーであって、
前記調整工具（２００）は、前記連結リング（１０２）の回転を制御するように構成しており、
前記連結リング（１０２）及び前記調整工具（２００）は、相補的な磁性領域（１０２、２０１）を有しており、前記相補的な磁性領域（１０２、２０１）どうしが前記腕時計（１０００）のケースを通して連係しているときに、前記調整工具（２００）の作用の下で前記連結リング（１０２）が回転駆動される
ことを特徴とする計時器アセンブリー。
【請求項１７】
前記調整工具（２００）は、磁気スタッド（２０１）を有する磁気鍵であり、前記連結リング（１０２）と連係するように構成しており、
前記連結リング（１０２）の磁性領域は、強磁性のターゲット（１０１）であり、
前記強磁性のターゲット（１０１）の数及び位置は、ユーザーには隠され、成功せずに終わりがちなユーザーによる調整の試みを防ぐ
ことを特徴とする請求項１６に記載の計時器アセンブリー。
【発明の詳細な説明】
【技術分野】
【０００１】
本発明は、スタッフを有する慣性を調整可能な計時器用バランス車に関する。このスタッフは、一方では、少なくとも１つのアームを介してリムを担持しており、他方では、前記スタッフに固定されている内側フランジを担持しており、また、前記スタッフは、複数の第１の弾性ガイド接続を介して外側リングを担持しており、前記複数の第１の弾性ガイド接続は、前記スタッフの軸に垂直な平面において慣性バランスされており、前記外側リングは、前記リムから離れており、前記バランスは、複数の慣性ブロックを有する。
【０００２】
本発明は、さらに、前記のようなバランスを１つ有する少なくとも１つの計時器用発振機構を有する機械式計時器用ムーブメントに関する。
【０００３】
本発明は、さらに、前記のようなムーブメントと、及びスライド式ピニオンを介して運動ワークの運動を制御するように構成している押し部品又は竜頭によって構成している制御メンバーとを有する腕時計に関する。
【０００４】
本発明は、さらに、前記のような腕時計と、及び前記バランスの慣性の調整を可能にするように構成している調整工具とを有する計時器アセンブリーに関する。
【０００５】
本発明は、バランス車発振器を備えた機械式計時器用ムーブメント及び前記のような発振器のレートの調整の分野に関する。
【背景技術】
【０００６】
機械式腕時計のレートを設定するために、一般的には、ケースを開いてムーブメントを取り外してから、レートを設定する部品にアクセスすることが必要である。すなわち、インデックスを回転させてバランスばねの剛性を変え、バランスねじを回転させて慣性を変えたり、他の手段を用いたりする。したがって、この操作には、時間がかかる操作が付加的に必要である。また、密封性を再確認することも必要である。場合によっては、ムーブメントを閉じる際にレートが狂うこともある。
【０００７】
既存の機構においては、設定メンバーにアクセスするためにはムーブメントを分解しなければならない。なぜなら、その構造によって内部設定を行うことができないからである。また、タイミング時にアンバランスをもたらすリスクが最小限にならない。
【０００８】
Seiko Instrumentsによるスイス特許出願ＣＨ７０９０５２Ａ２は、２つの部品によって構成しているバランス車を開示している。その一方の部品は、剛体であり、１８０°離れている２つのカムが設けられている。他方の部品は、カム上に静配置されている２つの弾性アームによって構成しており、このカムは、慣性ブロックを端としている。第１のリムは、実際のバランスを形成しており、ガイド部分に沿って摺動するように構成している弾性部品の、バランススタッフに対する距離を変えるように構成しているガイド部を有しており、このガイド部は、バランススタッフを中心とする半径方向にて弾性変形することができる。第２のリムは、複数の慣性ブロック部分を有する。これらの２つの部品の間の相対的回転によって、慣性ブロックの半径方向のトラベルを通して慣性が変わる。２つのピンを端とする特殊工具の挿入を可能にする歯列が設けられている変種がある。この工具を回転させると、慣性ブロックが正確に接線方向に変位する。遊びがないと有利であるが、このタイミングシステムにおいては、工具によってバランスにアクセスするためにムーブメントを分解することが必要である。このタイミングモードは、タイミング時にアンバランスの不慮の発生を防がない。すなわち、工具によって端の１つにおいて与えられる角運動によって、摩擦に起因して、直径的に反対側の他の端において振幅を下側にシフトさせるリスクを発生させる。
【０００９】
Sercalo Microtechnology Ltdによるスイス特許出願ＣＨ７０８６７５Ａ１は、一体化された「ＬＩＧＡ」（Lithografie, Galvanoformung und Abformung）金属や「ＤＲＩＥ」（Deep Reactive Ion Etching）構造について記載している。この構造は、内側の固定用菱形部分と、リムの内側で弾性力によって固定することができるわずかに楕円状となっている外側リングとの間に、いくつかの弾性細長材を有している。ピンセットによって補助して外側の弾性リングを回転させることによって運動が開始する。このピンセットは、細長材を中心の方に又は中心から遠くなる方に動かして、慣性を変える。しかし、一体化されたタイミング工具はない。ケイ素技術を用いると、この部品のために非常に高い製造精度を達成することができるが、このケイ素技術を用いる場合であっても、楕円状のリングの配置が２つの点で行われるので、アンバランスが発生するリスクがある。
【００１０】
また、H. Siegwartによるスイス特許出願ＣＨ３２０８１８Ａは、弾性細長材及びリムの内側にて静配置されている弾性支持体について記載している。
【発明の概要】
【発明が解決しようとする課題】
【００１１】
本発明は、腕時計ケースを開く必要性がなく、また、いずれのアンバランスをも発生させずに、機械式ムーブメントのレートを設定する手法を開発することを提案するものである。
【００１２】
提案する手法は、好ましくは、ケイ素微細加工などの高精度の性質を用いて、タイミング時に導入されるいずれのアンバランスをも最大限まで減らし、特に、ムーブメント内にて一体化されているタイミング手段を用いて、腕時計を分解する必要なしにタイミングを行うことを可能にする手法を提案する。
【課題を解決するための手段】
【００１３】
このために、本発明は、スタッフを有する慣性を調整可能な計時器用バランス車に関し、前記スタッフは、一方では、少なくとも１つのアームを介してリムを担持しており、他方では、前記スタッフに固定されている内側フランジを担持しており、また、前記スタッフは、複数の第１の弾性ガイド接続を介して外側リングを担持しており、前記複数の第１の弾性ガイド接続は、前記スタッフの軸に垂直な平面において慣性バランスされており、前記外側リングは、前記リムから離れており、前記バランスは、複数の慣性ブロックを有し、前記外側リングは、前記第１の弾性ガイド接続によって与えられる抵抗性トルクに対して与えられる外的トルクの作用の下で前記内側フランジに対して回転するように構成しており、各慣性ブロックは、少なくとも第２の弾性接続を介して少なくとも前記内側フランジに担持されており、前記内側フランジ又は前記慣性ブロックによって担持される第１のインデクシング歯列と、前記慣性ブロック又は前記外側リングによって担持される第２のインデクシング歯列との間の対応する連係によって定められる安定的な角位置においてインデクシングされることができ、前記内側フランジに対する前記外側リングのいずれの回転も、前記慣性ブロックの角位置を変える。
【００１４】
具体的には、このバランス車は、スタッフを有し、このスタッフは、一方では、少なくとも１つのアームを介してリムを担持しており、他方では、前記スタッフに固定されている内側フランジとと外側リングを有する一体化された上側プレートを担持しており、内側フランジとと外側リングは、前記スタッフの軸に垂直な平面においてバランスされている複数の第１の弾性ガイド接続によって接続されている。
【００１５】
本発明は、さらに、前記のようなバランスを１つ有する少なくとも１つの計時器用発振機構を有する機械式計時器用ムーブメントに関する。
【００１６】
本発明は、さらに、前記のようなムーブメントと、及びスライド式ピニオンを介して運動ワークの運動を制御するように構成している押し部品又は竜頭によって構成している既存の制御メンバーとを有する腕時計に関する。
【００１７】
本発明は、さらに、前記のような腕時計と、及び前記バランスの慣性の調整を可能にするように構成している調整工具とを有する計時器アセンブリーに関する。
【００１８】
２つの系統の変種を示している添付図面を参照しながら下記の詳細な説明を読むことで、本発明の他の特徴及び利点を理解することができるであろう。
【図面の簡単な説明】
【００１９】
【図１】本発明に係る慣性を調整可能な計時器用バランス車の概略断面図を示している。これは、上側の第１の平面において、外側リングを有しており、この外側リングは、周部歯列を担持しており、バランススタッフと一体化された内側フランジに対して弾性的にマウントされており、バランスの慣性ブロックの運動を制御するように構成しており、また、第１の平面と平行な下側の第２の平面において、バランスリム又は下側プレートの歯列の外側面によって構成している支持及び保持面を有している。このバランスは、本発明によって操作メンバーに対向するように示されている。この操作メンバーは、上側平面上において、周部歯列と連係するように構成している制御歯列を有しており、下側平面上において、相補的な支持及び保持面を有している。
【図２】上側プレートの概略図であり、これは、内側フランジと外側リングの間で、回転ガイド機能を行う互いに１２０°離れている３つの第１の弾性接続を有しており、また、前記第１の弾性接続の間に挿入され、同様に互いに１２０°離れているように配置されている、３つの慣性ブロックを有しており、各慣性ブロックは、その両側において、第２の弾性接続（図示せず）によって懸架されている。
【図３】図２と類似しているが、２つの第１の弾性接続が、互いに１２０°ではなく１８０°離れており、慣性ブロックが２つだけである。
【図４】第１の変種における慣性調整機構の一部の部分的な概略平面図であり、慣性ブロックには、歯付き区画があり、これは、３つのネック部との接続によって懸架されており、これらのネック部はともに、２つの半径方向のアーム区画の間にて、バランススタッフからの半径方向の線に垂直な線に対して対称的な二等辺三角形を定めており、これらのアーム区画の一方は、バランスの内側フランジから始まっており、これらのアーム区画の他方は、外側リングから始まっており、内側フランジは、さらに、歯付き区画の歯を止めて保持するように連係している半径方向に突出しているジャンパーばねを担持しており、この歯付き区画は、慣性ブロックの角位置の印がある目盛を有する。
【図５】図４の機構の接続を単純化して示している。
【図６】カム式変種と呼ぶ第２の変種における慣性調整機構の一部の部分的な概略平面図を示している。慣性ブロックは、反対側に２つの歯があるディスクであり、バランスの内側フランジから延在する半径方向のアームに垂直な可撓性細長材によって取り付けられており、外側リングは、バランススタッフと同心でないパス上において、慣性ブロックの２つの歯と連係する２つの歯付き区画を担持している。
【図７】変種の１つにおける可撓性細長材を備えたガイド機構の一部の部分的な概略平面図を示しており、内側フランジは、半径方向のアームを担持しており、このアームは、それぞれ２つのネック部を有する半径方向の弾性細長材を介して、中間的な同心の区画を担持している。この区画は、それぞれ２つのネック部を有する２つの他の半径方向の弾性細長材によって外側リングに懸架されている。
【図８】図７の機構の接続を単純化して示している。
【図９】機構の部分的な概略平面図を示しており、慣性の調整及びガイドは、図５及び６の変種によって実質的に６０°区画ごとの交互構成を有する。
【図１０】弾性戻しトルクを小さくする半径方向にマウントされたばねを含む詳細の部分的な概略平面図を示している。
【図１１】弾性トルクの変化を変形角度の関数として示している。実線はばねないの場合、点線はばねがある場合である。
【図１２】可撓性惑星構造を有する第３の変種の概略平面図を示している。内側フランジは、歯付き区画を直接担持しており、この歯付き区画は、必要な場合、バランススタッフと同心ではなく、外側リングと一体化されたジャンパーばねによって適切な位置にインデクシングされていることができ、惑星慣性ブロックはそれぞれ、実質的に同心の弾性細長材によって、内側フランジと外側リングの両方に接続している。
【図１３】線形の衝撃を受けた場合に図１２の惑星慣性ブロックにおけるアンバランスによって発生するトルクが、互いに打ち消し合い、外側リングの意図しない回転を発生させないことを示している図である。
【図１４】前記のようなバランス車を有する計時器用ムーブメントの詳細の部分的な概略平面図を示している。外側リングとその回転を制御する操作メンバーとの間の上側平面におけるインタフェースにおいて、車付きのレバーを有し、レバーの本体は、上側平面とは異なる下側平面において見ることができ、操作メンバーに設けられた駆動車と、外側リングに設けられた外側歯列とが、噛み合う。
【図１５】前記のような噛み合いの拡大詳細図である。
【図１６】前記のような計時器用ムーブメントを有する腕時計の詳細の部分的な概略平面図を示している。具体的には、制御機構は、下側平面におけるインタフェースにおいて、図１４のレバーを制御する連結リングを有しており、バランスの下側プレートの歯列及びレバーに設けられた櫛部を有しており、上側のインタフェースにおいて、外側リング及びその回転を制御するここでは車である操作メンバーを有している。
【図１７】バランススタッフをクランプする複数の弾性細長材を備えたバランスの上側又は下側プレートの変形実施形態の詳細を示している。
【図１８】バランス車の変種の第２の系統の変種に係る特定の実施形態の概略斜視図を示している。これは、中央のスパイラルを有する慣性調整構造であり、ピボット運動が、３つのセンタリング支持体上の摩擦によって達成される。
【図１９】本発明に係る一体化された上側プレートを有するばね仕掛けバランスの概略断面図を示している。この場合、リムのロックが、リムの外径上の摩擦によって発生する。
【図２０】本発明に係るバランスを有するばね仕掛けバランスを備える計時器用ムーブメントを有する腕時計の概略平面図を示している。その慣性調整制御機構は、竜頭によって制御される。
【図２１】この種の腕時計に関連づけられた外部工具の斜視図を示している。これは、非接触の手法で、腕時計ケースを通して、図１６の連結リングを制御するように構成している。
【発明を実施するための形態】
【００２０】
本発明は、腕時計ケースを開かずに、機械式ムーブメントのレートを設定する手法を提案するものである。これは、特別装備された発振器と、及び制御手段との両方に関連する慣性調整デバイスを用いる。この制御手段には、例えば、巻き及び時刻設定用のステムを介して、押し部品を介して、又は他の手段を介して、腕時計ケースの外側からユーザーがアクセス可能である。
【００２１】
特に、図２０に示すように、本発明を、機械式ムーブメント３００を有する腕時計１０００を用いて説明する。この機械式ムーブメント３００は、少なくとも１つの発振器１００を有し、これは、少なくとも１つのバランス１０、特に、ばね仕掛けバランス発振器を有している。これは、バランス１０及び少なくとも１つのバランスばね１８を有する。
【００２２】
特に、本発明に係る慣性調整デバイスは、バランスのレートを調整する可撓性構造を有する。
【００２３】
図面、特に、図１〜３に示すように、本発明は、少なくとも１つのアーム１３を介して少なくとも１つのリム１２を担持しているスタッフ１１を有する慣性を調整可能な計時器用バランス１０に関する。このバランス１０は、スタッフ１１に取り付けられた少なくとも１つの内側フランジ１と、及びリム１２とは異なる少なくとも１つの外側リング２を有する。
【００２４】
本発明のいくつかの変種によると、この外側リング２を以下のような様々な方法で固定することができる。
−  図４〜９及び１２〜１６に示した好ましい第１の系統の変種において、外側リング２は、内側フランジ１に直接接続しており、この内側フランジ１とともに、外側リング２は、好ましくは、複数の第１の弾性ガイド接続３によって一体化されたアセンブリーを形成している。
−  図１８に示した第２の系統の変種において、内側フランジ１は、この内側フランジ１と外側リング２の間にある複数の第１の弾性ガイド接続３によって、外側リング２を直接又は間接的に担持している。図示した変種において、内側フランジ１と外側アーム２は、互いに対して回転するように構成しており、共面であり別個のものである。
−  回転自由度の振幅に依存して、一体化された実施形態が可能であり、この場合、付加的な高さレベルが必要である。
【００２５】
いずれの場合においても、第１の弾性ガイド接続３は、スタッフ１１の軸Ｂに垂直な平面内においてバランスされており、これによって、特に、内側フランジ１及び外側リング２が同じ一体化された構造の一部を形成するような場合において、スタッフ１１は、アンバランスを回避するように、正確に構造の慣性中心に位置する。この外側リング２は、第１の弾性ガイド接続３によって与えられる抵抗性トルクに対して与えられる外的トルクの作用の下で、内側フランジ１に対して回転するように構成している。
【００２６】
バランス１０は、複数の慣性ブロック４を有する。
【００２７】
いくつかの変種においては、以下の特徴を有する。
−  図４〜９及び１２〜１６の第１の系統の変種において、これらの慣性ブロックはそれぞれ、少なくとも第２の弾性接続５によって内側フランジ１に固定され、図１、４及び１２に明確に示すように、変種に依存して、さらに、第３の弾性接続５０によって外側リング２に固定されることができる。慣性ブロック４はそれぞれ、位置インデクシング手段６を有する。これは、安定位置において内側フランジ１及び／又は外側リング２に設けられる位置インデクシング手段７と連係するように構成している。
−  図１８の第２の系統の変種において、慣性ブロック４はそれぞれ、少なくとも１つの外側可撓性細長材９４によって外側リング２によって担持されており、内側フランジ１によって担持される第１のインデクシング歯列９１と慣性ブロック４によって担持される第２のインデクシング歯列９２の間の連係によって定められる安定的な角位置にてインデクシングされることができる。
【００２８】
特に、バランスが単一の内側フランジ１、単一の外側リング２を有し、いくつかの高さレベルを用いる設計に対して推定することが容易であるような単純な場合に基づいて、本発明を説明する。
【００２９】
本発明によると、内側フランジ１に対する外側リング２のいずれの回転も、これらの慣性ブロック４の角位置を変える。
【００３０】
特に、位置インデクシング手段６及び相補的なインデクシング手段７には、歯がある。ただし、これに限定されない。また、磁気又は他の種類のインデクシングを達成することを想像することができる。
【００３１】
この歯を備えた変種において、特に、図４及び６に示しているように、バランス１０は複数の慣性ブロック４を有する。第１の系統の変種において、各慣性ブロック４は、少なくとも第２の弾性接続５によって、少なくとも内側フランジ１に担持されており、各慣性ブロック４に対して、内側フランジ１又は慣性ブロック４によって担持される第１のインデクシング歯列９１と、第２のインデクシング歯列９２との間の連係によって定められる安定的な角位置においてインデクシングすることができる。この第２のインデクシング歯列９２は、第１のインデクシング歯列９１がフランジ１によって担持されるときには、慣性ブロック４又は外側リング２によって担持され、第１のインデクシング歯列９１が慣性ブロック４によって担持されるときには、外側リング２によって担持される。第２の系統の変種において、慣性ブロック４はそれぞれ、外側リング２によって担持される。
【００３２】
外的トルクの作用を受けての内側フランジ１に対する外側リング２のすべての回転は、バランス１０の慣性ブロック４の角位置を変え、各慣性ブロック４は、弾性接続５によって内側フランジ１に担持されており、バランス１０の異なる慣性に対応する異なる安定的な角位置にてインデクシングされることができる。外側リング２の回転は、慣性ブロック４の位置を変え、したがって、バランス１０の慣性設定を変える。
【００３３】
図１は、本発明に係る計時器用バランス１０を示している。これは、上側の第１の平面ＰＳ内において、外側リング２を有している。この外側リング２は、周部歯列８を担持しており、バランス１０のスタッフ１１と一体化されている内側フランジ１に対して弾性マウントされている。バランス１０は、上側の第１の平面ＰＳと平行な下側の第２の平面ＰＩ内において、バランスの角度的な支持及び保持面を有する。これは、バランス１０のリム１２の外側面１２０、又は下側プレート１４の歯列１５などによって構成している。下側プレート１４には、スタッフ１１に固定されたハブ１７との下側弾性接続１６があるように示されている。このバランス１０は、本発明に係る操作メンバー２０に対向するように示されており、これは、上側平面ＰＳにおいて、制御手段８０を有する。この制御手段８０は、特に、駆動車８１の形態の制御歯列を担持しており、この駆動車８１は、外側リング２の周部歯列８と連係するように構成している。そして、下側平面ＰＩ上には、相補的な支持及び保持手段１５０を有する。これは、特に、弾性摩擦支持によって、リム１２の外側面１２０と、あるいはロック係合によって下側プレート１４の歯列１５と、連係するように構成している。上側平面ＰＳと下側平面ＰＩ上の歯列による連係は便利であるが、これに限定されず、摩擦又は他の手段を用いてもよい。
【００３４】
特に、このようにして、慣性を変える機能は、付加されるのではなく、一体化された再設計されたバランスによって達成される。下側プレート１４は、バランススタッフ１１に固定され、一体化された上側プレート３０は、その中心においてはバランススタッフ１１に固定されるが、その外側においては回転することができる。バランススタッフ１１の方へのセンタリングばねは、好ましいことに、図１７に示すような弾性細長材１９の形態で作ることができ、付加された下側又は上側プレート１４及び３０のいずれかによって導入されるいずれの任意のアンバランスをも打ち消すことができる。弾性細長材の数を材料の種類に注意深く適応させるために、以下のように注意が払われる。例えば、単結晶ケイ素の剛性に異方性があり、例えば、（１００）結晶平面に垂直な区画の場合には、方位角の周期が９０°であるために、この弾性細長材の数は、４以上の偶数とするべきである。等方性の材料の場合には、この弾性細長材の数は、３以上の奇数であることができる。スタッフ１１に挿入された後に、これらのプレートの中心は、好ましくは、接着結合やろう付け（これに限定されない）のような手段によってスタッフ１１に恒久的に固定される。
【００３５】
代替形態の１つにおいて、バランススタッフ１１をクランプする弾性細長材は、慣性調整時に、外側リング２に与えられる最大トルクよりも大きな摩擦を発生させなければならない。このために、慣性調整を行うために実装される操作メンバー２０は、外側リング２に与えられるトルクを制限するための較正デバイスを有することができる。
【００３６】
好ましい実施形態において、バランス１０は、一体化された上側プレート３０を有する。この上側プレート３０は、バランス１０が同じものを有する場合に、内側フランジ１、第１の弾性ガイド接続３、外側リング２、慣性ブロック４、第２の弾性接続５、第１のインデクシング歯列９１及び第２のインデクシング歯列９２、及び第３の弾性接続５０を有する。
【００３７】
特定の実施形態において、内側フランジ１は、外的トルクの最大値よりも大きな摩擦トルクでスタッフ１１を同心的にクランプする複数の弾性細長材１９を有する。
【００３８】
別の特定の実施形態において、内側フランジ１は、はんだ付け、ろう付け、接着結合又は別の同様な方法によって、スタッフ１１に不可逆的に固定される。
【００３９】
さらなる別の実施形態において、内側フランジ１は、最大の外的トルク値よりも大きな摩擦トルクによってスタッフ１１を同心的にクランプする複数の弾性細長材１９を有し、これらの弾性細長材１９は、はんだ付け、ろう付け、接着結合又は別の同様な方法によって、スタッフ１１に不可逆的に固定される。
【００４０】
好ましい変種において、単にリム上にて静配置されているよりも良好な角位置における止めを達成するために、バランス１０は、下側プレート１４を有し、この下側プレート１４は、スタッフ１１に直接又は間接的に固定され、歯列のような周部止め手段１５を有する。
【００４１】
好ましい変種において、慣性の調整を正確に制御するために、外側リング２は、スタッフ１１の軸Ｂを中心とする連続的な周部歯列８を有し、歯列８の回転によって、慣性ブロック４の位置が、２つの安定的なインデクシング位置の間で変わる。
【００４２】
特定の実施形態において、内側フランジ１は、スタッフ１１と一体化されている。
【００４３】
特定の実施形態において、バランス１０は、単層である微細機械加工された可撓性の構造を含んでいる。これは、典型的には、１５０μｍの厚みに対して位置合わせの精度が１〜２μｍであるような、ＭＥＭＳ技術における高い輪郭の精度の恩恵を受けており、上に定めたように、一体化された上側プレート３０を形成している。
【００４４】
好ましくは、システムに最大の精度を与えるために、プレートが微細機械加工され（ケイ素に対する製造に由来する技術）、可能であれば、図示するように、各プレートが、単層（マスクを用いる方法）にされる。
【００４５】
このようにして、前記のような一体化された上側プレート３２を、既存のバランスに付加して、発振器の内部にて大きな体積を占めずに、本発明によって与えられる慣性調整機能を既存のバランスに与える。
【００４６】
バランス１０が下側プレート１４を有する場合、下側プレート１４をＭＥＭＳ技術又は同様な技術で作ることができる。
【００４７】
もちろん、当業者に知られる他の同等に精密な適切な技術も、想到することができる。例えば、レーザー、ウォータージェット切断などである。
【００４８】
図２〜１１は、本発明に係る可撓性慣性調整機構の変種を示しており、１つの好ましい実施形態においては、一体化された上側プレート３０を有している。ただし、これに限定されない。
【００４９】
一般的には、図２及び３に示すように、外側リング２には、特に、図示した好ましい実施形態において歯列８が設けられており、この外側リング２は、その中心のまわりに弾性回転することができる。この中心は、上で説明したように、バランススタッフ１１に固定されている。２、３、４、５、．．．個の１８０°、１２０°、９０°、７２°、．．．の角度部分が、中心と外側リング２の間に配置されている。これらには、２つの主機能を実行する役割がある。すなわち、弾性細長材などを用いてガイドする役割と、及び可動な慣性ブロックなどを用いて慣性を調整する役割とである。これらの機能が、角度区画ごとに交互構成になっていたり、可能な場合、一体化されていたりすることを想到することができる。センタリング用細長材の数に対して上で言及した材料に区画の数を適応させる規則を、ここでも適用させることができる。
【００５０】
図２及び３は、内側フランジと外側リングの間において、回転ガイドの機能を行う１２０°と１８０°にわたる第１の弾性接続が交互構成になっているような、上側プレート３０についての２つの変種を示しており、これらの第１の弾性接続の間には、弾性的に懸架された慣性ブロックが挿入されている。
【００５１】
図４に示す第１の変種において、第１のインデクシング歯列９１は、内側フランジ１によって担持され、半径方向に突出している内側ジャンパーばね４２によって構成しており、第２のインデクシング歯列９２は、慣性ブロック４によって担持されている第１の歯付き区画４３である。この慣性ブロックは、３つの第１のネック部４５、２１、４１との接続によって懸架されており、これらの第１のネック部４５、２１、４１はともに、バランス１０の軸Ｂから延在する半径方向の線の垂線に対して対称な二等辺三角形ＡＣＣ’を２つの半径方向のアーム区画の間で定める。このアーム区画は、一方が内側フランジ１から延在しており、他方が外側リング２から延在している。扇形の形態の慣性ブロック４は、弾性ピボットＣ’−Ａ−Ｃの三角形によって動かされる外側リング２が角変位しているときに、Ｃを中心に弾性回転することができる。内側ジャンパーばね４２は、保持止め構成を形成するように、歯付き区画４３の歯と連係し、慣性ブロック４の正確な配置を可能にする。慣性ブロック４上の目盛り付きスケール９３によって、慣性ブロック４の角位置を読むことができる。機構が適切な寸法を有するのであれば、アンバランスを発生させるリスクがあるものの、すべての慣性ブロックにおいて同じ切り欠きに入ることになって同期した運動を発生させる。変種の１つは、構造全体に対して単一のジャンパーばね及び単一のインデクシングラックを有する機構によって構成しており、この構造は、バランスの回転中心に重心を戻すために補償用慣性ブロックを備える。
【００５２】
図６に示す第２の変種において、第１のインデクシング歯列９１は、慣性ブロック４によって担持され、少なくとも１つの歯４６を有し、第２のインデクシング歯列９２は、外側リング２によって担持され、スタッフ１１の軸Ｂとは離れた中心を有する少なくとも第２の歯付き区画７２を有する。カム式変種と呼ぶこの第２の変種において、慣性ブロック４は、２つの反対側の歯４６、９１を有するディスクであり、このディスクは、内側フランジ１から延在する半径方向のアーム４９に垂直な可撓性細長材４７によって取り付けられている。外側リング２は、半径ＲＡの円と半径ＲＢの円が描く軌跡上において、２つの歯付き区画７２、９２を担持している。これらの半径ＲＡの円と半径ＲＢの円は、バランス１０の軸Ｂと同心ではなく、このことによって、慣性を変えることができる。歯付き区画７２、９２は、慣性ブロック４の２つの歯４６、９１と連係する。慣性の変化は、慣性ブロック４の半径方向の位置の変化によって発生する。この変化は、半径ＲＢ又はＲＡに対応する傾斜を介しての慣性ブロックと外側リング２の間の相対的角位置の変化によって発生する。この第２の変種は、第１の変種と同様に、調整のための二方向性の範囲を有する。なお、中立位置においては、両方の手法において、ジャンパーばねとラックの間にクランピング／応力はなく、その空間は、単層法（１つのフォトリソグラフィマスクのみを用いる）において溝を微細機械加工できる程度に小さい。もちろん、この空間（０．１０ｍｍの厚みに対して約５μｍ）を、他の角位置に対して、０又は負値（応力がある状態）まで小さくすることができる。
【００５３】
図７は、変種における可撓性細長材を備えるガイド機構を示している。これにおいて、内側フランジ１は、半径方向のアームを担持しており、このアームは、それぞれが２つのネック部３４を有する半径方向の弾性細長材３１を介して、中間的な同心の区画３３を担持しており、この区画３３は、それぞれが２つのネック部３４を有する他の２つの半径方向の弾性細長材３２によって、外側リング２に懸架されている。外側リング２は、延長線が中心にて交わる２つの細長材で懸架されており、これらの細長材は、中間的な曲がり部分３３に固定されており、この曲がり部分３３は、内側フランジ１に接続されている。このことには、２つのＲＣＣ（リモートセンターコンプライアンス）回転ガイドを直列に配置することを伴う。図８にて、この原理を説明している。これは、４つの第２のネック部３４がピボットＫ’Ｌ’Ｍ’Ｎ’によって置き換えられている半構造における第２のネック部における連接接続を示している。低振幅のための瞬間的な回転中心がバランス１０のスタッフ１１の軸Ｂ上にあることが明確にわかる。
【００５４】
図９は、図６及び７の変種に実質的にしたがって、慣性の調整及びガイドが、６０°の区画ごとに交互構成となっているような機構を示している。慣性の変化は、慣性ブロック４の半径方向の位置の変化によって発生する。この変化は、半径ＲＢ又はＲＡに対応する傾斜を介しての慣性ブロックと外側リング２の間の相対的角位置の変化によって発生する。内側フランジ１と外側リング２から延在する半径方向のアームの間に、上に示されている半径方向の弾性アーム３１によって形成された対、そして、弾性戻しトルクを減らす半径方向にマウントされたばねが示されている。これらのばねは、外側リング２に過大トルクが与えられることを回避し、一定の小さい力を有するインデクシングラック／ジャンパーばねのシステムを用いることが望まれる場合に、細長材の固有回転剛性を減少させる。張ったばねにリソグラフィーを適用することはできないために、フックを用いて、緩和された位置にて作られたばねが引っ張られるようにすることができる。すなわち、好ましいことに、バランス１０が、ＬＩＧＡ、ＭＥＭＳ又は同様な方法によって作られた一体化されたプレート３０を有する場合、ばね３６はそれぞれ、フック３６２を備える半ばね３６１によって構成しており、図の左側部分に示すように、一体化されたプレート３０の生産時には、半ばね３６１は、互いに離れており、逆さまに構成しており、そして、必要な戻し力を得るために、連結したユニット３６３を形成するようにフックすることだけで済む。図１１は、変形角度θの関数として弾性トルクＣＥの変化を示しており、前記のばねがないものを実線で、ばねがあるものを点線で示してある。
【００５５】
図１２に示す第３の変種では、第１のインデクシング歯列９１が、内側フランジ１によって担持されており、中心がスタッフ１１の軸Ｂとは異なる第３の歯付き区画４４があり、第２のインデクシング歯列９２は、外側リング２によって担持されており、外側ジャンパーばね２９によって構成している。ここで、特に、バランス１０は、一体化された上側プレート３０を有する。この上側プレート３０は、可撓性惑星構造であり、惑星が、慣性調整を可能にするアンバランス慣性ブロックであり、これらが、弾性細長材によって内側フランジ１及び／又は外側リング２に接続されている。
【００５６】
内側フランジ１は、バランス１０の軸Ｂと同心でない歯付き区画４４を直接担持しており、これらの歯付き区画４４のそれぞれは、外側リング２と一体化されている外側ジャンパーばね２９によって適切な位置にインデクシングされており、慣性ブロック４はそれぞれ、互いに及びスタッフ１１の軸Ｂと実質的に同心である弾性細長材４８によって、内側フランジ１及び外側リング２の両方に接続している。
【００５７】
この第３の変種は、惑星運動のように機能し、２つの慣性ブロック４（惑星）が、弾性アーム４８によって互いに保持されている内側フランジ１と外側リング２の間で転がり、この弾性アーム４８は、慣性ブロック４のまわりに巻かれている。回転角度が大きくなるにしたがって、弾性細長材４８に起因する弾性戻しトルクを変化させることができる。この変化は、特に、増加する変化である。ただし、これに限らない。したがって、インデキシングシステムを制御できなくなることを防ぐために、第３の歯付き区画４４のラックを傾けて、外側ジャンパーばね２９の作用によって、細長材４８からのトルクをオフセットする保持力を得ることができる。特定の実施形態において、この保持力は段階的なものである。なお、このシステムが衝撃の影響を受けないことに注目すべきである。実際に、線形の衝撃を受けた場合に、図１２の慣性ブロック／惑星におけるアンバランスによって発生するトルクは、図１３に示すように、互いに打ち消し合い、外側リング２の不本意な回転を発生させない。このことは、この運動の平面における任意の方向に付勢されたＮ個の慣性ブロック／惑星に対しても当てはまる。外側ジャンパーばね２９は、弾性細長材４８によって与えられる戻しトルクを克服しなければならず、また、非常に重要なことに、いずれのアンバランスをも導入しないように外側リング２をセンタリングしなければならない。
【００５８】
図１８に、第２の系統の変種のうちの特定の実施形態を示している。これは、中央のスパイラルを有する慣性調整構造であり、回転は、弾性的ではなく、３つのセンタリング支持体上における摩擦によって達成される。内側フランジ１には、バランス１０のスタッフ１１に固定された切り欠き付きスパイラル４４がある。これに対して、外側リング２は、３つの慣性ブロック４を担持しており、これらはそれぞれ外側可撓性細長材９４によって固定されている。外側リング２は、３つの肩部５３を有しており、この肩部５３上で、切り欠き付きスパイラル４４のアーム５１に設けられる、調整の範囲に対応する３０°の角度区画にわたって、３つの支持体５２が摺動する。慣性ブロック４の歯５５と連係する切り欠き付きスパイラル４４と、外側リング２との間の相対的回転によって、慣性ブロック４の中心対称の配置を達成することができる。特定の数値のアプリケーション（これに限定されない）において、リム１２を備えたバランス１０の直径が１０．６ｍｍであり、一体化されたケイ素上側プレート３０の直径が７．９ｍｍであり、厚みが１５０μｍであり、合計慣性が１．８３×１０-9ｋｇｍ2である場合に、調整振幅３０°に対応する慣性調整は、１日当たり３７．４秒に達する。もちろん、切り欠き付きスパイラル４４の切り欠きを、特に、１日当たり０．５秒のような必要な分解能を達成するために、適応させたり小さくしたりすることができる。好ましいことに、この機構は、さらに、Ｚ方向における外側リング２の保持を確実にするために、垂直方向のガイド要素（図示せず）を有する。外側リング２のセンタリング支持体５２と肩部５３は、好ましいことに、数μｍの遊びの分離れている。したがって、可撓性細長材１９によって自身がスタッフ１１にセンタリングされる切り欠き付きスパイラル４４上に外側リング２を完全にセンタリングさせるのは、慣性ブロック４である。外側リング２が回転方向にて付勢されている場合、アーム５１の機能は、３つの慣性ブロック４の歯５５が、切り欠き付きスパイラル４４におけるそれらの切り欠きに同期状態で落として、不一致がないことを確実にすることである。結果的に、これらの切り欠きを介して細長材によって与えられるトルクは、慣性ブロックが切り欠きに落ちる終わりにおける摩擦トルクよりも高くなる。
【００５９】
本発明は、さらに、特に図２０に示すような、機械式計時器用ムーブメント３００に関する。これは、前記のようなバランス１０を有する少なくとも１つの計時器用発振機構１００と、及びバランス１０に設けられた慣性ブロック４のうちの少なくともいくつかの位置を変えることによってバランス１０の慣性調整を制御するように構成している操作メンバー２０とを有する。この操作メンバー２０は、連結位置と少なくとも１つの分離位置の間で運動可能である。本発明によると、操作メンバー２０は、リム１２を連結位置にて直接又は間接的に動けなくするように構成している止め手段１６０と、及び少なくとも１つの制御手段８０とを有する。この制御手段８０は、特に、歯付きのものであり、連結位置において、外側リング２、特に、外側リング２に設けられた歯列８、を回転駆動して、外側リング２と連係している慣性ブロック４の位置を変えるように構成している。
【００６０】
特に図２０に示すように、本発明は、さらに、前記のようなムーブメント３００を有する腕時計１０００に関し、押し部品又は竜頭１１０によって構成している制御メンバーが、スライド式ピニオン１１１を介して運動ワーク１１２の運動を制御するように構成している。この運動ワーク１１２は、入力車１１５を有し、これは、操作メンバー２０の連結位置にある少なくとも１つの前記のような歯付きの制御手段８０を駆動するように構成している。本発明に係る腕時計１０００は、操作メンバー２０の連結又は分離を制御するために回転して動くことができる連結リング１０２を有し、連結リング１０２は、好ましくは、ユーザーからは隠れている。
【００６１】
前記のような構成によって、竜頭、押し部品、ベゼル、引っ張り部品のような既存の制御メンバーと、既存のスライド式ピニオン及び運動ワークとを有するような既存の腕時計を変換させることが可能になる。
【００６２】
ここで、外側リング２が歯列８を有し、一体化された上側プレート３０を有するバランス１０を用いる特定の場合（これに制限されない）に基づいて本発明を説明している。
【００６３】
特に、図１６に示すように、この一体化された上側プレート３０を、リム１２の任意の角位置において以前から回転可能に固定されているリム１２と同期している状況で、バランス１０のリム１２に対して、又はここで示したようにバランス１０が１つ有する場合には下側プレート１４に対して、回転させると、一体化された上側プレート３０の慣性を変え、したがって、バランス１０の慣性を変える。特に、この一体化された上側プレート３０の、外側リング２の回転は、特に、バランス１０に隣接している駆動車８１の形態の操作メンバー２０の制御手段８０によって達成される。この駆動車８１は、図に示した実施形態（これに限定されない）において、止め手段１６０の双安定レバー１５０によって担持されている。レバー１５０は、発振器１００を有する計時器用ムーブメント３００の周部にある回転式リング１０２の機械的な作用によって、側方から又は側方に、連結され／分離しており、このことによって、発振器１００が周部上にあるときにはいつでも、発振器１００にアクセスすることができる。
【００６４】
図１６は、この連結機構の一部の例を示している。連結リング１０２は、レバー１５０の２つの傾斜１５４及び１５５に、連結リング１０２に設けられたフィンガー部１０３を介して作用して、レバー１５０の傾斜をその回転方向の方に制御する。実線で示した位置は、「ＯＮ」位置において、レバー１５０に設けられた櫛部１５１を介して、下側プレート１４の歯列１５をロックするための位置のレバー１５０を示している。すなわち、バランス１０は、腕時計１０００の運動ワーク及び竜頭１１０と噛み合っている。レバージャンパーばね１５６は、レバー１５０を双安定状態にする。図１６において点線で示したロック解除位置「ＯＦＦ」に変えるために、リング１０２は、下方に回転し、レバー１５０を傾斜させて分離させて、バランス１０を解放する。
【００６５】
ここで、レバー１５０は、下側プレート１４の下側歯列１５と連係するための櫛部１５１を有するが、バランス１０に下側プレート１４がない場合に、リム１２の外側面１２０と連係するように、特に、接触し始めるように、構成しているような摩擦面を有することがわかるであろう。
【００６６】
レバー１５０が解放されると、可撓性構造は、図４のジャンパーばね４２のような一体化されたジャンパーばね又は図１２の外側ジャンパーばね２９によって保持される。この一体化されたジャンパーばねは、慣性ブロック４を保持し、十分な戻し力を与えて、これによって、外側リング２も保持する。
【００６７】
好ましくは、システムに最大の精度を与えるために、プレートが微細機械加工され（ケイ素に対する製造に由来する技術）、可能であれば、図示するように、各プレートが、単層（マスクを用いる方法）にされる。リング１０２の作用によって連結するレバー１５０は、側方からバランス１０に接近し（ＯＮ位置）、バランス１０に取り付けられた下側プレート１４と噛み合うレバー１５０の櫛部１５１によって、バランス１０を角度的に保持する。そして、同時に、駆動車８１は、上側プレート３０と噛み合う。
【００６８】
本発明に係る腕時計１０００は、制御メンバーを有しており、この制御メンバーは、押し部品、引っ張り部品などによって構成していたり、あるいは図示するように、特に、図２０に示すように、竜頭１１０によって構成していたりする。この竜頭１１０は、調整が両方向に可逆的であるという利点を有する。竜頭１１０による回転は、伝統的に、少なくとも２つの位置Ｔ１及びＴ３の間で運動可能であり、スライド式ピニオン１１１を介して、運動ワーク１１２、入力車１１５、駆動車８１、そして、したがって、上側プレート３０の外側リング２の運動を発生させる。この外側リング２は、回転することができ、バランス１０の慣性を変えることができる。
【００６９】
歯列を難なく挿入できることを確実にするために、図１５に示すように、歯の先端を鋭くされる。歯が挿入されると、輪郭がまっすぐなので、あるいは可能性としてはわずかに凹むようにすることもできるので、上側及び下側プレート３０及び１４に対して駆動車８１及びレバー１５０の櫛部１５１によって与えられる接触せん断力によっては、バランス１０の耐衝撃性ピボットを動かすことができるいずれの半径方向の力をも発生させない。
【００７０】
運動ワーク１１２は、針１１４を担持する中心車１１３を駆動することができ、このことによって、行った調整を見ることが可能になる。
【００７１】
本発明は、さらに、図２０及び２１に示すような、前記のような腕時計１０００と、及び連結リング１０２の回転を制御するように構成している調整工具とを有する計時器アセンブリーに関する。
【００７２】
好ましいことに、本発明によると、特に、磁気鍵によって構成している、連結リング１０２及び調整工具２００には、図示するように、相補的な磁性領域１０１及び２０１が腕時計ケース１０００を通して連係しているときに調整工具２００の作用の下で連結リング１０２を回転駆動するための相補的な磁性領域１０１、２０１がある。リング１０２は、好ましいことに、特定の変種において、強磁性のターゲット１０１、すなわち、Ｐ、Ｑ、Ｒ、Ｓを備える。これらは、注意深く配置され隠され、これによって、特定の位置Ｐ、Ｑ鋳、Ｒ、Ｓ鋳に配置され互いに対向している、磁気スタッド２０１、特に、ネオジム磁石など、を有する磁気的な外側鍵２００のみが、必要であれば、リングを動かして回転させることができる。一般的には回転形状である実質的に円形の純粋に強磁性のリング１０２の利点は、そのリング１０２を回転させることができる外部磁場の影響を受けず、そして、磁石が存在する望ましくない場合において、外部の強磁性体の影響を受けないことである。
【００７３】
図２０は、腕時計１０００を開かず、押し部品を付加せずに、バランス１０の慣性を変えることによって、レートを調整するデバイスの全体像を示している。強磁性のターゲット１０１を有する連結リング１０２は、連結リング１０２が腕時計に対して同軸に位置しているときに（それらの軸が一致しているときに）、磁気スタッド２０１を有する腕時計の外側の工具である、磁気鍵２００によって回転可能に動く。リング１０２は、まず、すべてに磁石に対して最初に軸方向に引きつけられ、そして、キー２００の回転によって、強磁性のターゲット１０１に対するリラクタンストルクによってリング１０の回転を発生させる。これらのターゲットの角位置がユーザーから隠されるので、右キーのみがリングを回転させる。これには、失敗しがちなユーザーによる調整の試みがあった場合にブランドの評判を落とさないようにするために、アフターセールスサービスによって調整を行うという目的がある。このようにして、磁気鍵２００は、連結リング１０２と連係し、強磁性のターゲット１０１の数及び位置がユーザーから隠され、これによって、成功せずに終わりがちなユーザーによる調整の試みを防ぐ。好ましくは、磁気スタッド２０１も、キー２００上で隠される。
【００７４】
レート調整プロセスは、以下のように進行する。まず、磁気鍵２００によるリング１０２の回転によって、レバー１５０がバランス１０の方向に傾く。これによって、レバーの駆動車８１が、バランス１０に配置された回転式の慣性調整デバイスと噛み合う。したがって、ＯＦＦ位置からＯＮ位置に変わる。駆動車８１は、運動ワーク１１２の中間的な車１１５と一体化されている。次に、竜頭１１０を位置Ｔ３（時刻設定）に引っ張ることによって、竜頭１１０は、スライド式ピニオン１１１及び中間的な車を介して、分針１１４及びバランス１０の慣性調整デバイスの両方と噛み合う。したがって、竜頭１１０を回転させることによって、慣性調整が可能になり、また、分針１１４を介して補正を読むことができる。これは、非常に実用的である。調整が行われると、レバー１５０は、キー２００によって補助されて分離され、ＯＮ位置からＯＦＦ位置に変わり、そして、時間がセットされ、最後に、竜頭１１０が位置Ｔ１に戻される。
【００７５】
短く書くと、本発明によって、以下のことが可能になる。
−  特に、典型的には１日当たり１０〜１００秒、又はこれよりも広い範囲にわたって、バランスの慣性を変えることができる。
−  これは、異なる安定位置の間の慣性ブロックの位置を変えることによって行われる。なぜなら、これらの慣性ブロックは、切り欠きの内側で常にフックされているからである。
−  バランス上に配置された少なくとも１つの微細機械加工された慣性を調整可能な可撓性要素に支援されて行われる。
−  ケースを通して連結リングに作用する磁気鍵を介して竜頭の回転を慣性の変化に連結する機構を得ることができる。
【符号の説明】
【００７６】
１  内側フランジ
２  外側リング
３  第１の弾性ガイド接続
４  慣性ブロック
５  第２の弾性接続
８  歯列
１０  バランス車
１１  スタッフ
１２  リム
１３  アーム
１４  下側プレート
１５  周部止め手段
１９  弾性細長材
２０  操作メンバー
３０  上側プレート
４２  ジャンパーばね
４３、４４、７２  歯付き区画
４６  歯
５０  第３の弾性接続
８０  制御手段
８１  駆動車
９１、９２  インデクシング歯列
１００  発振機構
１０１  ターゲット
１０２  連結リング
１１０  竜頭
１１１  ピニオン
１１２  運動ワーク
１１５  入力車
１５０  レバー
１６０  止め手段
２００  調整工具
２０１  磁気スタッド
３００  機械式ムーブメント
１０００  腕時計
【図１】
0006340116.tif 000002
【図２】
0006340116.tif 000003
【図３】
0006340116.tif 000004
【図４】
0006340116.tif 000005
【図５】
0006340116.tif 000006
【図６】
0006340116.tif 000007
【図７】
0006340116.tif 000008
【図８】
0006340116.tif 000009
【図９】
0006340116.tif 000010
【図１０】
0006340116.tif 000011
【図１１】
0006340116.tif 000012
【図１２】
0006340116.tif 000013
【図１３】
0006340116.tif 000014
【図１４】
0006340116.tif 000015
【図１５】
0006340116.tif 000016
【図１６】
0006340116.tif 000017
【図１７】
0006340116.tif 000018
【図１８】
0006340116.tif 000019
【図１９】
0006340116.tif 000020
【図２０】
0006340116.tif 000021
【図２１】
0006340116.tif 000022